(57)【要約】【課題】上ケースと下ケースとが互いの側壁を突き当てて接合されてなるケース内にＲＦＩＤタグを収容する構成において、そのＲＦＩＤタグのＩＣチップ部が破損するのを防止する。【解決手段】記録テープＴが巻装されたリール２０と、上ケース１４と下ケース１６とが互いの側壁１４Ｂ、１６Ｂを突き当てて接合されることで構成され、リール２０が収容されたケース１２と、ＩＣチップ部７２とＩＣチップ部７２の両側に配置されたアンテナ部７４とを有し、ケース１２内に収容されたＲＦＩＤタグ７０と、を備えた記録テープカートリッジ１０であって、ＩＣチップ部７２が、側面視で側壁１４Ｂ、１６Ｂの突当面１７よりも上側又は下側に配置されている。【選択図】図７
2011141933.tif 000002
【特許請求の範囲】
【請求項１】
記録テープが巻装されたリールと、
上ケースと下ケースとが互いの側壁を突き当てて接合されることで構成され、前記リールが収容されたケースと、
ＩＣチップ部と該ＩＣチップ部の両側に配置されたアンテナ部とを有し、前記ケース内に収容されたＲＦＩＤタグと、
を備え、
前記ＩＣチップ部は、側面視で前記側壁の突当面よりも上側又は下側に配置されていることを特徴とする記録テープカートリッジ。
【請求項２】
前記リールは、前記記録テープが巻回されるハブと、該ハブの上端側に設けられた上フランジと、該ハブの下端側に設けられた下フランジと、を有し、
前記ＩＣチップ部は、側面視で前記上フランジの下面と前記下フランジの上面との間に配置されていることを特徴とする請求項１に記載の記録テープカートリッジ。
【請求項３】
記録テープが巻回されるハブと該ハブの上端側に設けられた上フランジと前記ハブの下端側に設けられた下フランジとを有するリールと、
上ケースと下ケースとが互いの側壁を突き当てて接合されることで構成され、前記リールが収容されたケースと、
ＩＣチップ部と該ＩＣチップ部の両側に配置されたアンテナ部とを有し、前記ケース内に収容されたＲＦＩＤタグと、
を備え、
前記ＩＣチップ部は、側面視で前記上フランジの下面と前記下フランジの上面との間に配置されていることを特徴とする記録テープカートリッジ。
【請求項４】
前記リールは、前記ケース内において下限位置及び上限位置を取り得るように構成されており、
前記ＩＣチップ部は、前記リールが前記下限位置及び前記上限位置の何れに配置されても、側面視で前記上フランジの下面と前記下フランジの上面との間に配置されていることを特徴とする請求項２又は請求項３に記載の記録テープカートリッジ。
【請求項５】
前記ＲＦＩＤタグが、側面視で前記側壁の突当面よりも上側又は下側に配置されていることを特徴とする請求項１に記載の記録テープカートリッジ。
【発明の詳細な説明】
【技術分野】
【０００１】
本発明は、ＲＦＩＤタグが内蔵された記録テープカートリッジに関する。
【背景技術】
【０００２】
上ケースと下ケースとが互いの側壁を突き当てて接合されてなるケース内に、記録テープが巻装されたリールを単一で収容してなる記録テープカートリッジは、従来から知られている。そして、この記録テープカートリッジのケース内には、ＩＣチップを備えたＲＦＩＤタグが設けられることがある（例えば、特許文献１参照）。
【先行技術文献】
【特許文献】
【０００３】
【特許文献１】特開２００７−２５７７４４号公報
【発明の概要】
【発明が解決しようとする課題】
【０００４】
しかしながら、特許文献１に記載のＲＦＩＤタグは、上ケースの側壁の内面に沿って配置されるとともに、その側壁と同じ高さに形成され、かつ、下端部にＩＣチップが配設されているので、上ケースと下ケースとが互いの側壁を突き当てて接合された際に、そのＩＣチップが、上ケースの側壁と下ケースの側壁との間に咬み込まれて破損するおそれがある。
【０００５】
そこで、本発明は、上記事情に鑑み、上ケースと下ケースとが互いの側壁を突き当てて接合されてなるケース内にＲＦＩＤタグを収容する構成において、そのＲＦＩＤタグのＩＣチップ部が破損するのを防止できる記録テープカートリッジを得ることを目的とする。
【課題を解決するための手段】
【０００６】
上記の目的を達成するために、本発明に係る請求項１に記載の記録テープカートリッジは、記録テープが巻装されたリールと、上ケースと下ケースとが互いの側壁を突き当てて接合されることで構成され、前記リールが収容されたケースと、ＩＣチップ部と該ＩＣチップ部の両側に配置されたアンテナ部とを有し、前記ケース内に収容されたＲＦＩＤタグと、を備え、前記ＩＣチップ部が、側面視で前記側壁の突当面よりも上側又は下側に配置されていることを特徴としている。
【０００７】
請求項１に記載の発明によれば、上ケースと下ケースとが互いの側壁を突き当てて接合されてなるケース内に収容されたＲＦＩＤタグのＩＣチップ部が、側面視で側壁の突当面よりも上側又は下側に配置されているので、そのＩＣチップ部が、上ケースの側壁と下ケースの側壁との間に咬み込まれるおそれがない。したがって、ＩＣチップ部が破損するのを防止することができる。
【０００８】
また、請求項２に記載の記録テープカートリッジは、請求項１に記載の記録テープカートリッジにおいて、前記リールが、前記記録テープが巻回されるハブと、該ハブの上端側に設けられた上フランジと、該ハブの下端側に設けられた下フランジと、を有し、前記ＩＣチップ部が、側面視で前記上フランジの下面と前記下フランジの上面との間に配置されていることを特徴としている。
【０００９】
請求項２に記載の発明によれば、ＩＣチップ部が、側面視でリールの上フランジ及び下フランジに接触しないので、そのＩＣチップ部が破損するのを防止することができる。
【００１０】
また、本発明に係る請求項３に記載の記録テープカートリッジは、記録テープが巻回されるハブと該ハブの上端側に設けられた上フランジと前記ハブの下端側に設けられた下フランジとを有するリールと、上ケースと下ケースとが互いの側壁を突き当てて接合されることで構成され、前記リールが収容されたケースと、ＩＣチップ部と該ＩＣチップ部の両側に配置されたアンテナ部とを有し、前記ケース内に収容されたＲＦＩＤタグと、を備え、前記ＩＣチップ部が、側面視で前記上フランジの下面と前記下フランジの上面との間に配置されていることを特徴としている。
【００１１】
請求項３に記載の発明によれば、上ケースと下ケースとが互いの側壁を突き当てて接合されてなるケース内に収容されたＲＦＩＤタグのＩＣチップ部が、側面視でリールの上フランジ及び下フランジに接触しないので、そのＩＣチップ部が破損するのを防止することができる。
【００１２】
また、請求項４に記載の記録テープカートリッジは、請求項２又は請求項３に記載の記録テープカートリッジにおいて、前記リールが、前記ケース内において下限位置及び上限位置を取り得るように構成されており、前記ＩＣチップ部が、前記リールが前記下限位置及び前記上限位置の何れに配置されても、側面視で前記上フランジの下面と前記下フランジの上面との間に配置されていることを特徴としている。
【００１３】
請求項４に記載の発明によれば、リールが下限位置及び上限位置の何れに配置されても、ＩＣチップ部が、側面視でリールの上フランジ及び下フランジに接触しないので、そのＩＣチップ部が破損するのを防止することができる。
【００１４】
また、請求項５に記載の記録テープカートリッジは、請求項１に記載の記録テープカートリッジにおいて、前記ＲＦＩＤタグが、側面視で前記側壁の突当面よりも上側又は下側に配置されていることを特徴としている。
【００１５】
請求項５に記載の発明によれば、ＲＦＩＤタグが、側面視で側壁の突当面よりも上側又は下側に配置されているので、そのＩＣチップ部が、上ケースの側壁と下ケースの側壁との間に咬み込まれるおそれがない。したがって、ＩＣチップ部が破損するのを防止することができる。
【発明の効果】
【００１６】
以上のように、本発明によれば、上ケースと下ケースとが互いの側壁を突き当てて接合されてなるケース内にＲＦＩＤタグを収容する構成において、そのＲＦＩＤタグのＩＣチップ部が破損するのを防止できる記録テープカートリッジを提供することができる。
【図面の簡単な説明】
【００１７】
【図１】本実施形態に係る記録テープカートリッジを示す斜視図
【図２】本実施形態に係る記録テープカートリッジの上側から見た分解斜視図
【図３】本実施形態に係る記録テープカートリッジの下側から見た分解斜視図
【図４】本実施形態に係る記録テープカートリッジを構成する上ケースへのＵＨＦ帯ＲＦＩＤタグの取付構造を示す斜視図
【図５】本実施形態に係る記録テープカートリッジを構成する上ケースに対するＵＨＦ帯ＲＦＩＤタグの取付状態を示す底面図
【図６】本実施形態に係る記録テープカートリッジを構成する上ケースを示す底面図
【図７】本実施形態に係る記録テープカートリッジを構成するケースとＵＨＦ帯ＲＦＩＤタグを示す側断面図
【図８】本実施形態に係る記録テープカートリッジを構成するケースとＵＨＦ帯ＲＦＩＤタグを示す側断面図
【図９】本実施形態に係る記録テープカートリッジを構成するＵＨＦ帯ＲＦＩＤタグを示す正面図
【発明を実施するための形態】
【００１８】
以下、本発明に係る実施の形態について、図面に示す実施例を基に詳細に説明する。まず、記録テープカートリッジ１０の全体構成を説明し、次いで、記録テープカートリッジ１０に内蔵されるＵＨＦ帯ＲＦＩＤタグ７０、及びＵＨＦ帯ＲＦＩＤタグ７０の取付構造について説明する。なお、以下の説明では、便宜上、各図に適宜示す矢印Ｕ方向を上方向、矢印Ｆ方向を前方向、矢印Ｒ方向を右方向、矢印Ｌ方向を左方向とするが、これらの方向は記録テープカートリッジ１０の姿勢を限定するものではない。
【００１９】
図１〜図３で示すように、記録テープカートリッジ１０は、ケース１２を備えている。ケース１２は、下向きに開口する樹脂製の上ケース１４と上向きに開口する樹脂製の下ケース１６とを、互いの開口端を突き合わせて接合することで構成されている。なお、本実施形態におけるケース１２は、平面視で略矩形状（略正方形状）を成すとともに上下方向に薄い扁平状ケースとして構成されている。
【００２０】
具体的には、上ケース１４は、平面視で略矩形状の天板１４Ａの周縁部から外周壁（側壁）１４Ｂが下向きに立設されて成り、下ケース１６は、平面視で略矩形状の底板１６Ａの周縁部から外周壁（側壁）１６Ｂが上向きに立設されて成り、外周壁１４Ｂと外周壁１６Ｂとの開口端が突き当てられた状態で、上ケース１４と下ケース１６とが接合されることで、ケース１２が構成されている。
【００２１】
なお、本実施形態では、上ケース１４の天板１４Ａ及び下ケース１６の底板１６Ａから、それぞれ突出されたビスボス１５同士を突き当てるとともに、下側のビスボス１５内に頭部が収容されたビス（図示省略）のねじ部が上側のビスボス１５にねじ込まれることで、上ケース１４と下ケース１６とが接合されるようになっている。
【００２２】
また、ケース１２内には、情報記録再生媒体として使用される磁気テープ（記録テープ）Ｔが巻回された単一のリール２０が回転可能に収容されている。リール２０に巻回された磁気テープＴは、図示しないドライブ装置内において、ケース１２の右側壁１２Ｒにおける前端側に形成された開口１８を通じて、ケース１２の外側に引き出されるようになっており、ケース１２内から引き出された磁気テープＴに対して情報の読み書きが行われるようになっている。
【００２３】
また、磁気テープＴの先端には、ドライブ装置により磁気テープＴを引き出す際に操作（保持）されるリーダ部材としてのリーダピン２２が取り付けられている。リーダピン２２は、磁気テープＴの幅方向端部から突出する両端部に形成されたフランジ２２Ａが、ケース１２における開口１８に臨む位置に設けられたピン受け凹部２４に入り込むことで、ケース１２に対して所定の位置で保持されるようになっている。
【００２４】
また、ケース１２には、フランジ２２Ａをピン受け凹部２４の凹壁に押し付けることで、ケース１２に対するリーダピン２２の姿勢を保持するためのスプリング２６が設けられている。そして、このリーダピン２２は、フランジ２２Ａと磁気テープＴとの間の細軸部分が、ドライブ装置の引出部材に引っ掛けられることによって、磁気テープＴと共にケース１２内から引き出されるようになっている。
【００２５】
また、ケース１２の開口１８は、開閉部材としてのドア２８によって開閉されるようになっている。ドア２８は、外周壁１４Ｂと外周壁１６Ｂとで成る右側壁１２Ｒに沿って形成されたガイド溝２５にガイドされつつ前後方向にスライドすることで、開口１８を開閉する構成とされている。なお、このドア２８は、ドアスプリング３０によって、開口１８を閉じる方向に付勢されている。
【００２６】
また、ケース１２には、リール２０を径方向外側（外周側）から覆うように設けられた内壁、分離壁としてのリールエリアリブ３２が立設されている。リールエリアリブ３２は、天板１４Ａ、底板１６Ａのそれぞれから立設された半体同士が接合されて構成され、リール２０が配置されるリール室３４を囲む構成とされている。
【００２７】
本実施形態におけるリールエリアリブ３２は、周方向に部分的に複数立設されており、それぞれの周方向端部は連結壁３６を介して外周壁１４Ｂ、外周壁１６Ｂにそれぞれ連結されている。なお、開口１８の近傍に位置するリールエリアリブ３２の周方向端部には、磁気テープＴの引出経路を確保するために連結壁３６は連結されず、強度確保のためにビスボス１５が一体化されている。
【００２８】
また、ケース１２の底板１６Ａの略中央部には、リール２０の軸心部を成すリールハブ３５の底部３５Ａに設けられたリールギヤ３８及び磁性金属製のリールプレート４０を露出させるためのリール開口４２が形成されている。これにより、ドライブ装置の図示しない回転シャフトは、マグネットによってリールプレート４０を吸着保持しつつ駆動ギヤをリールギヤ３８に噛み合わせて、リール２０を回転駆動するようになっている。
【００２９】
また、リール２０は、リールハブ３５の外周面に巻回された磁気テープＴの幅方向のずれを規制する上下一対の上フランジ４４及び下フランジ４６を有している。すなわち、磁気テープＴは、上フランジ４４と下フランジ４６との間に巻回されている。更に、リールハブ３５の円筒部内には、ケース１２に対するリール２０の回転をロック、ロック解除するためのロック機構４８が設けられている。
【００３０】
ロック機構４８は、リールハブ３５の底部３５Ａの上面側に設けられた上向きの係合ギヤ５０と、係合ギヤ５０に噛み合い可能な下向きの制動ギヤ５２Ａを有する制動部材５２と、制動部材５２のケース１２に対する回転を禁止する回転止め部５５と、制動ギヤ５２Ａが係合ギヤ５０に噛み合うように制動部材５２を下向きに付勢するロックスプリング５４と、ロックスプリング５４の付勢力に抗して制動部材５２を上方に押し上げるための解除操作部材５６と、を主要部として構成されている。
【００３１】
回転止め部５５は、天板１４Ａから突出された十字リブ５８を制動部材５２の十字溝６０に、上下方向に相対変位可能に挿入することで構成されている。解除操作部材５６は、底部３５Ａと制動部材５２との間に配置され、上方に移動することで制動部材５２を上側に移動させて制動ギヤ５２Ａの係合ギヤ５０への噛み合い、即ちリール２０の回転ロック状態を解除する構成とされている。
【００３２】
本実施形態における解除操作部材５６は、平面視で略正三角形状に形成された本体５６Ａを有し、その本体５６Ａの各頂部から垂下された脚部５６Ｂが底部３５Ａの貫通孔３５Ｂに挿通されるようになっている。そして、その脚部５６Ｂは、リールギヤ３８の歯間から突出され、リールギヤ３８に噛み合う回転シャフトの駆動ギヤによって上方に押圧、移動されるようになっている。
【００３３】
つまり、このロック機構４８は、リールギヤ３８とドライブ装置側の駆動ギヤとの噛み合いに伴って、リール２０のケース１２に対する回転ロック状態が解除される構成になっている。また、解除操作部材５６は、リール２０と一体に回転し、その中央部に設けられた突起５６Ｃが、ケース１２に対して回り止めされた制動部材５２の球面状の突起５２Ｂと低摩擦で摺接するようになっている。
【００３４】
また、記録テープカートリッジ１０は、磁気テープＴへの情報の書き込みを禁止するためのライトプロテクト部６２を備えている。ライトプロテクト部６２は、誤消去防止プラグ６４が、ユーザの操作によって、磁気テープＴへの情報の書き込みを許容する許容位置と、磁気テープＴへの情報の書き込みを禁止する禁止位置との間で移動可能に設けられて構成されている。
【００３５】
本実施形態における誤消去防止プラグ６４は、ケース１２の左後の角隅部１２ＬＲで、後壁１２Ｂに沿って移動することで、許容位置と禁止位置とを取り得る構成とされている。また、誤消去防止プラグ６４は、下ケース１６と上ケース１４とに跨って配置されており、下ケース１６内で後壁１２Ｂと略平行に設けられた下ガイド壁６８と、上ケース１４内で後壁１２Ｂと略平行に設けられた上ガイド壁６６とによってガイドされるようになっている。
【００３６】
更に、記録テープカートリッジ１０は、例えば記録テープカートリッジ１０の個体識別情報、製造情報、磁気テープＴの記録容量や記録形式等の個体毎の各種情報が記憶されたメモリボードＭを備えている。メモリボードＭは、ケース１２の右後の角隅部１２ＲＲで、後方及び下方を共に向くように傾斜して配置されている。これにより、メモリボードＭは、ケース１２の下面側及び背面側の何れからも情報の読み取り（書き込み）が可能とされている。なお、このメモリボードＭは、下ケース１６内に（上ケース１４側に突出しないように）配置されている。
【００３７】
（ＲＦＩＤタグの構成）
以上のような構成の記録テープカートリッジ１０（ケース１２）には、ＵＨＦ帯ＲＦＩＤタグ７０が内蔵されている。このＵＨＦ帯ＲＦＩＤタグ７０（後述するＩＣチップ７２）に対しては、例えば記録テープカートリッジ１０に貼付されたバーコードラベル等で表現されていた情報、保管時及びオートローダによる搬送時のカートリッジ個体一元管理（磁気テープＴへの記録内容との関係を考慮した管理）のための情報が読み書きされるようになっている。
【００３８】
図９には、ＵＨＦ帯ＲＦＩＤタグ（Ｒａｄｉｏ Ｆｒｅｑｕｅｎｃｙ ＩＤｅｎｔｉｆｉｃａｔｉｏｎタグの略で、ＲＦタグやＩＣタグともいう）７０の概略全体構成が正面図で示されている。この図９で示すように、ＵＨＦ帯ＲＦＩＤタグ７０は、通信用素子（通信機能を実現する回路部）としてのＩＣチップ７２と、ＩＣチップ７２が特定周波数ｆの電波で無線（非接触）通信を行うためのアンテナ部としてのタグアンテナ７４と、これらを保持する基部としてのベースシート７６と、を主要部として構成されている。
【００３９】
なお、本発明における「ＩＣチップ部」とは、ＲＦＩＤタグ７０（ベースシート７６）に、シリコンが剥き出し状態とされて固着されているＩＣチップ７２のことであり、「ＩＣチップ７２」と同義である。また、ベースシート７６は、例えばポリエチレンテレフタレート（ＰＥＴ）等の樹脂材によって構成されている。
【００４０】
タグアンテナ７４は、アルミニウムや銅などの導電材より成り、特定方向（図９の矢印Ｘ方向）に長手とされるとともに、ＩＣチップ７２（を通る長手方向における中心線）に対して対称（線対称）に形成された所謂ダイポールアンテナの一種として構成されている。つまり、このタグアンテナ７４は、その中央部にＩＣチップ７２が接続されており、そのＩＣチップ７２に対して対称（線対称）に形成されている。
【００４１】
また、タグアンテナ７４の総延長は、上記した特定周波数ｆ（本実施形態では、ＵＨＦ帯ＲＦＩＤタグ７０の通信周波数であるＵＨＦ帯域の８６０ＭＨｚ〜９６０ＭＨｚ）の電波の波長λに応じて決められる。本実施形態では、ベースシート７６、記録テープカートリッジ１０の構成部品（樹脂製のケース１２の後壁１２Ｂ、リールエリアリブ３２）である誘電体層の影響を考慮して、特定周波数ｆに応じた値に対して若干短い長さとされている。
【００４２】
また、タグアンテナ７４は、上記した総延長を確保するために、長手方向に複数回折り返されて、長手方向のメアンダライン構造を成している。具体的には、タグアンテナ７４における両端には、他の部分よりも幅広とされた略長方形状の放射部７４Ａが形成されている。
【００４３】
そして、タグアンテナ７４における放射部７４Ａ以外の部分は、ＩＣチップ７２の接続部分を含めて給電部７４Ｂとされており、この給電部７４Ｂが複数回折り返されることで、ベースシート７６の寸法内でタグアンテナ７４の総延長を確保している。なお、本実施形態では、給電部７４Ｂの一部は放射部７４Ａを囲むように形成されている。
【００４４】
また、タグアンテナ７４においては、例えばベースシート７６の長手方向における放射部７４Ａの形成範囲を含む部分（図９に示す領域Ａ）を放射部、それ以外の部分を給電部として捉えてもよいし、例えばＩＣチップ７２の接続部位を含む中央部（図９に示す領域Ｂ）を給電部、それ以外の部分を放射部として捉えてもよい。また、図示は省略するが、タグアンテナ７４の長手方向の中央部には、ＩＣチップ７２の接続部を含んでループコイル部が形成されていてもよい。
【００４５】
以上説明したＵＨＦ帯ＲＦＩＤタグ７０は、タグアンテナ７４の全高が７〜８ｍｍ程度とされるとともに、ベースシート７６の全高が９〜１０ｍｍ程度とされている。この寸法は、１２．６５ｍｍ幅の磁気テープＴが巻回されたリール２０を収容するケース１２の上ケース１４又は下ケース１６に収容可能な寸法として設定されている。なお、本実施形態では、後述するように、ＵＨＦ帯ＲＦＩＤタグ７０は、上ケース１４に収容されるようになっている。
【００４６】
また、本実施形態におけるＵＨＦ帯ＲＦＩＤタグ７０（ベースシート７６）は、平面視で湾曲して形成されている。すなわち、ＵＨＦ帯ＲＦＩＤタグ７０は、例えば収縮率の異なる素材（フィルム等）を張り合わせるとともに加熱してベースシート７６を構成することで、平坦な状態に弾性変形させると、湾曲状態に復元しようとする板ばね機能を奏するように構成されている。
【００４７】
（ＲＦＩＤタグのケース取付構造）
図２〜図６で示すように、ＵＨＦ帯ＲＦＩＤタグ７０は、上ケース１４の後部に収容されるようになっている。すなわち、このＵＨＦ帯ＲＦＩＤタグ７０は、全体として、リール室３４に対して後方に形成された給電部室７８、放射部室８０（図４〜図６参照）に収容されており、各放射部７４Ａの設置部位は、リール室３４の外側空間であるケース１２の四隅のうち、周方向に隣り合う何れかの角隅部とされている。なお、以下の説明では、ＵＨＦ帯ＲＦＩＤタグ７０における放射部７４Ａの形成範囲を単に放射部７４Ａという場合がある。
【００４８】
本実施形態における給電部室７８は、図４、図５で示すように、リール室３４に配置されたリール２０（磁気テープＴの最外周部）と、上ケース１４の外周壁１４Ｂにおける後壁１２Ｂを構成する部分である上後壁１４ＢＢとの間に形成された空間とされている。そして、放射部室８０は、リールエリアリブ３２と、連結壁３６と、上後壁１４ＢＢと、外周壁１４Ｂにおけるケース１２の左右の側壁（右側壁１２Ｒ及び左側壁１２Ｌ）を成す上側壁１４ＢＳとで囲まれた空間とされている。
【００４９】
より具体的には、ケース１２の角隅部１２ＲＲに配置された右側（メモリボードＭの配置側）の放射部室８０は、リールエリアリブ３２と、連結壁３６と、上後壁１４ＢＢと、上側壁１４ＢＳとで囲まれた空間とされている。
【００５０】
そして、ケース１２の角隅部１２ＬＲに配置された左側（誤消去防止プラグ６４の配置側）の放射部室８０は、リールエリアリブ３２（内壁）と、連結壁３６（内壁）と、上ガイド壁６６（内壁）と、上側壁１４ＢＳとで囲まれた空間とされている。すなわち、左側の放射部室８０は、ＵＨＦ帯ＲＦＩＤタグ７０の厚み方向において、ケース１２内に形成された内壁同士に挟まれた（囲まれた）空間として捉えることができる。
【００５１】
ここで、ＵＨＦ帯ＲＦＩＤタグ７０を構成するタグアンテナ７４の放射部７４Ａ全体が配置される放射部室８０は、給電部７４Ｂの少なくともＩＣチップ７２の接続部位が配置される給電部室７８よりも広い空間とされている。
【００５２】
具体的には、図６で示すように、給電部室７８の室壁である上後壁１４ＢＢと磁気テープＴの最外周部との前後方向（給電部７４Ｂ、上後壁１４ＢＢの厚み方向）の最小間隔をＤ１、放射部７４Ａを挟むリールエリアリブ３２と上後壁１４ＢＢとの前後方向に沿った最小間隔をＤ２、リールエリアリブ３２と上後壁１４ＢＢとの放射部７４Ａの厚み方向に沿った最小間隔をＤ３とすると、Ｄ２＞Ｄ１、Ｄ３＞Ｄ１とされている。なお、図６では、タグアンテナ７４のうち放射部７４Ａのみを破線で示している。
【００５３】
そして、ＵＨＦ帯ＲＦＩＤタグ７０は、左右の放射部７４Ａが放射部室８０の前後方向の略中央部に位置するように、上ケース１４内に収容されている。具体的には、上ケース１４における給電部室７８と放射部室８０との間に位置する連結壁３６には、ＵＨＦ帯ＲＦＩＤタグ７０が入り込む切欠部８２が形成されている。
【００５４】
したがって、ＵＨＦ帯ＲＦＩＤタグ７０は、左右の放射部７４Ａの間の部分が切欠部８２に入り込むことで、放射部７４Ａの形成範囲を含む両端側が放射部室８０に収容されるとともに、ＩＣチップ７２を含む中央部が給電部室７８内に収容される。
【００５５】
ここで、本実施形態におけるＵＨＦ帯ＲＦＩＤタグ７０は、上記の通り、湾曲形成されているので、曲率を小さくする方向に弾性変形された状態で、その両端がビスボス１５に接触されて復元を規制されている。つまり、このＵＨＦ帯ＲＦＩＤタグ７０は、自身の復元力によって、上ケース１４に保持されるようになっている。
【００５６】
また、この状態で、ＵＨＦ帯ＲＦＩＤタグ７０は、切欠部８２の後側の縁部に係合するようになっている。そのため、切欠部８２の前側の縁部は、ＵＨＦ帯ＲＦＩＤタグ７０を案内する（誘い込む）ように傾斜された傾斜面にしてもよい。なお、上ケース１４に下ケース１６を接合した状態では、下ケース１６の連結壁３６（切欠部８２が形成された連結壁３６と突き当てられるもの）によってＵＨＦ帯ＲＦＩＤタグ７０の下ケース１６側への移動が規制されるようになっている。
【００５７】
また、図６で示すように、このＵＨＦ帯ＲＦＩＤタグ７０は、上ケース１４（ケース１２）への保持状態で、給電部７４Ｂの中央部（ＩＣチップ７２の接続部位）が、上後壁１４ＢＢの内面に接触するか、又は上後壁１４ＢＢの内面に極近接されている。
【００５８】
すなわち、このＵＨＦ帯ＲＦＩＤタグ７０は、給電部７４Ｂ（の形成範囲）が上後壁１４ＢＢの内面に略接するように、上ケース１４に支持されているものと捉えることができる。本実施形態では、ＵＨＦ帯ＲＦＩＤタグ７０の給電部７４Ｂの形成範囲と、給電部室７８を成す室壁のうち近い方の室壁である上後壁１４ＢＢとの距離Ｌ１は、０〜１ｍｍ程度とされている。
【００５９】
一方、ＵＨＦ帯ＲＦＩＤタグ７０における放射部７４Ａの形成範囲とリールエリアリブ３２、上後壁１４ＢＢとの最短距離をＬ２、Ｌ３とすると、Ｌ２≒Ｌ３で、かつＬ２、Ｌ３＞２ｍｍとされている。このため、記録テープカートリッジ１０では、Ｌ２＞Ｌ１、Ｌ３＞Ｌ１とされている。すなわち、放射部７４Ａから、放射部室８０の室壁のうち近い側の室壁までの最短距離が、上記距離Ｌ１よりも大きい設定とされている。
【００６０】
また、上記の通り、放射部７４Ａを挟む前後方向両側に位置する室壁間隔であるＤ２、Ｄ３が給電部７４Ｂを挟む前後方向両側に位置する室壁間隔であるＤ１よりも大きいため、ＵＨＦ帯ＲＦＩＤタグ７０の厚みが充分に小さいことを考慮すると、Ｌ２＋Ｌ３＞Ｄ１となる。
【００６１】
これにより、放射部７４Ａから前後方向両側の室壁であるリールエリアリブ３２、上後壁１４ＢＢまでの距離の和（Ｌ２＋Ｌ３）が、給電部７４Ｂから前後方向両側の室壁である磁気テープＴの最外周部、上後壁１４ＢＢまでの距離の和（Ｌ１＋Ｌ４≒Ｄ１）よりも大きい設定とされている。
【００６２】
更に、上記の最短距離、間隔の関係から、記録テープカートリッジ１０では、放射部７４Ａからリールエリアリブ３２までの平均距離Ｌａ２、及び放射部７４Ａの形成範囲に亘る放射部７４Ａから上後壁１４ＢＢまでの平均距離Ｌａ３のそれぞれが、給電部７４Ｂから上後壁１４ＢＢまでの平均距離Ｌａ１よりも大きくされている。
【００６３】
本実施形態では、放射部７４Ａの形成範囲に亘る上後壁１４ＢＢ、リールエリアリブ３２までの各平均距離Ｌａ２、Ｌａ３は、それぞれ４ｍｍ以上となるように設定されている。この平均距離は、上記の通りＵＨＦ帯ＲＦＩＤタグ７０における放射部７４Ａの形成範囲を、放射部室８０の前後方向略中間部に配置する（Ｌａ２≒Ｌａ３とする）ことで実現されている。
【００６４】
また、記録テープカートリッジ１０では、ＵＨＦ帯ＲＦＩＤタグ７０における放射部７４Ａの形成範囲がビスボス１５に接触しないか、又は接触幅が２ｍｍ以下になる設定とされている。放射部７４Ａの形成範囲がビスボス１５に接触しない場合において、ＵＨＦ帯ＲＦＩＤタグ７０におけるビスボス１５の接触部位とタグアンテナ７４（の長手方向端部）との距離は２ｍｍ以上とすることが好ましく、４ｍｍ以上とすることがより好ましい。
【００６５】
一方、ＵＨＦ帯ＲＦＩＤタグ７０における放射部７４Ａがビスボス１５に接触する構成においては、本実施形態におけるビスボス１５の周面が円筒面であるため、その接触幅が２ｍｍとなる構成が実現されている。
【００６６】
以上、図６を基に片側（右側）の放射部７４Ａの配置について説明したが、反対側（左側）の放射部７４Ａの配置についても同様に構成されていることは言うまでもない。なお、図示は省略するが、左側の放射部室８０は、上ガイド壁６６が後側の室壁とされているので、上ガイド壁６６を基準として上記の間隔Ｄ２、Ｄ３、最短距離Ｌ３、平均距離Ｌａ３が、上記の関係を満たすようになっている。
【００６７】
また、図７で示すように、ＲＦＩＤタグ７０のＩＣチップ７２は、ベースシート７６の内面側で、かつ高さ方向略中央部に設けられており、上ケース１４の後部に収容された状態で、リール室３４に収容されたリール２０（前方）に向かって突出されている。
【００６８】
そして、このＲＦＩＤタグ７０のＩＣチップ７２は、記録テープカートリッジ１０がドライブ装置に装填されない不使用時（リール２０がケース１２内における下限位置に配置されているとき）及びドライブ装置に装填された使用時（リール２０がケース１２内における上限位置に配置されているとき）において、上フランジ４４の下面４４Ａと下フランジ４６の上面４６Ａとの間で、かつ上ケース１４の外周壁１４Ｂと下ケース１６の外周壁１６Ｂとの突当面１７よりも上側に配置されている。
【００６９】
つまり、本実施形態の場合、ＲＦＩＤタグ７０は、上ケース１４に収容される構成であるため、そのＩＣチップ７２は、側面視で、上ケース１４の外周壁１４Ｂと下ケース１６の外周壁１６Ｂとの突当面１７と、上フランジ４４の下面４４Ａとの間（上フランジ４４に接触しない高さ位置）に配置されるようになっている。
【００７０】
なお、上ケース１４の外周壁１４Ｂにおける開口端と下ケース１６の外周壁１６Ｂにおける開口端には、互い違いとなる段部１４Ｃ、１６Ｃがそれぞれ形成されており、上ケース１４の外周壁１４Ｂと下ケース１６の外周壁１６Ｂとを突き合わせたときには、その段部１４Ｃ、１６Ｃが互いに噛み合うようになっている。本実施形態では、ＲＦＩＤタグ７０側である内面側の段部１４Ｃの下端面及び段部１６Ｃの上端面を突当面１７としている。
【００７１】
また、本実施形態では、ＲＦＩＤタグ７０は、上ケース１４に収容されるため、側面視で、突当面１７よりも上側で、かつ上フランジ４４の下面４４Ａよりも下側に配置されているが、下ケース１６に収容された場合には、突当面１７よりも下側で、かつ下フランジ４６の上面４６Ａよりも上側に配置されることは言うまでもない。
【００７２】
次に、本実施形態の作用について説明する。上記構成の記録テープカートリッジ１０は、磁気テープＴに情報を書き込む場合、又は磁気テープＴに書き込まれた情報を読み取る場合には、ドライブ装置に装填される。そして、この装填動作に伴って、開口１８が開放されるとともに、リール２０のリールギヤ３８に回転シャフトの駆動ギヤが噛み合わされ、リール２０がケース１２内における上限位置へ上昇移動されるとともに、その回転ロックが解除される。
【００７３】
一方、ドライブ装置は、リーダピン２２を先頭に磁気テープＴを引き出して、そのリーダピン２２をドライブ装置側のドライブリールにセットする。そして、そのドライブリールとリール２０とを同期して回転駆動しながら、テープ経路中に設けられたヘッドによって磁気テープＴに対する情報の書き込み、読み出しを行う。
【００７４】
磁気テープＴに対する情報の書き込み、読み出しの終了後は、リール２０を逆回転させて磁気テープＴをリール２０に巻き取り、次いでリーダピン２２をピン受け凹部２４に保持させる。そして、リール２０は、リールギヤ３８に対する駆動ギヤの噛み合いが解除される動作に伴って、ケース１２内における下限位置へ下降移動し、ケース１２に対する回転が制動部材５２によってロックされる。そして、記録テープカートリッジ１０は、ドライブ装置から排出される動作に伴って、その開口１８がドア２８によって閉止される。
【００７５】
また、この記録テープカートリッジ１０では、ケース１２の外部に近接させた、図示しないリーダ／ライタによって、ケース１２に内蔵されているＵＨＦ帯ＲＦＩＤタグ７０に対して情報の読み書きが行われる。
【００７６】
ここで、この記録テープカートリッジ１０では、ＵＨＦ帯ＲＦＩＤタグ７０における放射部７４Ａの形成範囲の少なくとも一部がケース１２の構成部品（リールエリアリブ３２、上後壁１４ＢＢ、ビスボス１５）とは非接触とされている。そのため、ＵＨＦ帯ＲＦＩＤタグ７０は、ケース１２の誘電率の影響を受け難い。
【００７７】
すなわち、記録テープカートリッジ１０を構成するＵＨＦ帯ＲＦＩＤタグ７０は、上記したように、放射部７４Ａがリールエリアリブ３２、上後壁１４ＢＢの双方から離隔されているので、これらリールエリアリブ３２、上後壁１４ＢＢ、又はＵＨＦ帯ＲＦＩＤタグ７０の厚み方向から見て放射部７４Ａにオーバラップ（対向）して配置されたリールエリアリブ３２、上後壁１４ＢＢの誘電率の影響を受け難い。
【００７８】
しかも、本実施形態における記録テープカートリッジ１０では、放射部７４Ａが、リールエリアリブ３２、上後壁１４ＢＢとは、最短距離で２ｍｍ以上、平均距離で４ｍｍ以上離隔されているので、タグアンテナ７４は、放射部７４Ａにオーバラップ（対向）して配置されたリールエリアリブ３２、上後壁１４ＢＢの誘電率の影響をより一層受け難い。
【００７９】
また、給電部７４Ｂは上後壁１４ＢＢ等の影響を受け難いので、スペースが限られたケース１２へのＵＨＦ帯ＲＦＩＤタグ７０の内蔵についての制約となり難い。そのため、記録テープカートリッジ１０では、ケース１２内の空間を有効利用して、一対の放射部７４Ａをケース１２の周方向に隣り合う（対角とはならない）角隅部１２ＬＲ、１２ＲＲにそれぞれ形成された放射部室８０に配置して、上記した放射部７４Ａとリールエリアリブ３２、上後壁１４ＢＢとの２ｍｍ以上の最短距離、４ｍｍ以上の平均距離を確保する構成が実現される。
【００８０】
特に、本実施形態における記録テープカートリッジ１０では、給電部７４Ｂが上後壁１４ＢＢに接触又は極近接して配置されているため、ケース１２の内部空間を一層有効利用してＵＨＦ帯ＲＦＩＤタグ７０を内蔵することができる。なお、ＲＦＩＤタグ７０は、図７で示すように、ＩＣチップ７２が、リール２０（前方）へ向かって突出する向きで収容されてもよいし、図８で示すように、ＩＣチップ７２が、上後壁１４ＢＢ（後方）へ向かって突出する向きで収容されてもよい。つまり、このＲＦＩＤタグ７０は、ベースシート７６の湾曲方向に応じた向きで収容されればよい。
【００８１】
また、放射部７４Ａがビスボス１５に接触する構成においても、放射部７４Ａとビスボス１５との接触幅が２ｍｍ以下であるため、タグアンテナ７４はビスボス１５の誘電率の影響を受け難い。特に、そのビスボス１５が、放射部７４ＡにおけるＩＣチップ７２側の縁部７４Ｄ（図９参照）とは反対側の縁部７４Ｃから離隔されていると、タグアンテナ７４はビスボス１５の誘電率の影響をより一層受け難くなる。
【００８２】
以上により、記録テープカートリッジ１０では、ケース１２の素材（誘電率）の影響が抑制されるので、タグアンテナ７４の設計自由度が高くなる。これにより、タグアンテナ７４は、ケース１２の素材（誘電率）の影響を受け易い構成と比較して、大型化することができ、共振周波数帯域の幅の維持、拡大、及び放射効率の維持、向上に寄与する。
【００８３】
そして、タグアンテナ７４の共振周波数帯域の幅をＵＨＦ帯域の略全域（８６０ＭＨｚ〜９６０ＭＨｚ）に広げることで、記録テープカートリッジ１０が使用される各国、地域での通信が可能となり、ＵＨＦ帯ＲＦＩＤタグ７０含む記録テープカートリッジ１０の品種の統合が図られる。
【００８４】
また、図７で示すように、リール２０（前方）に向かって突出するように設けられた、ＲＦＩＤタグ７０のＩＣチップ７２は、側面視で、上ケース１４の外周壁１４Ｂと下ケース１６の外周壁１６Ｂとの突当面１７よりも上側で、かつ記録テープカートリッジ１０の不使用時及び使用時におけるリール２０の上フランジ４４の下面４４Ａよりも下側（上フランジ４４に接触しない高さ位置）に配置されている。
【００８５】
したがって、製造ラインにおいて、ＩＣチップ７２が、突当面１７にて上ケース１４の外周壁１４Ｂと下ケース１６の外周壁１６Ｂとの間に咬み込まれるおそれがなく、かつ上フランジ４４に接触するおそれがない。よって、ＩＣチップ７２が破損してしまうのを防止することができ、記録テープカートリッジ１０に収容されているＲＦＩＤタグ７０の信頼性を向上させることができる。
【００８６】
なお、図８で示すように、上後壁１４ＢＢ（後方）に向かって突出するように設けられた、ＲＦＩＤタグ７０のＩＣチップ７２は、記録テープカートリッジ１０の不使用時及び使用時におけるリール２０の上フランジ４４及び下フランジ４６に接触することはないので、この場合には、側面視で、上ケース１４の外周壁１４Ｂと下ケース１６の外周壁１６Ｂとの突当面１７よりも上側又は下側に配置されていれば、上記と同様の効果を奏する。
【００８７】
以上、本実施形態に係る記録テープカートリッジ１０について、図示の実施例を基に詳細に説明したが、本実施形態に係る記録テープカートリッジ１０は、図示の構成に限定されるものではなく、各種変形して実施可能であることは言うまでもない。例えば、開口１８を開閉するドアが平面視円弧状とされ、リールエリアリブ３２と上後壁１４ＢＢとの間に複数の連結壁（リブ）が形成されて、給電部室が上記実施例の給電部室７８よりも前後方向に広く形成された記録テープカートリッジ（図示省略）の場合でも同様である。
【００８８】
また、ＲＦＩＤタグ７０の給電部７４Ｂが、上後壁１４ＢＢの内面に沿って（接触した状態で）配置された場合や、リールエリアリブ３２の外周面に沿って（接触した状態で）配置された場合でも、ＩＣチップ７２は、ベースシート７６の高さ方向略中央部に設けられ、側面視で、突当面１７と、上フランジ４４の下面４４Ａ又は下フランジ４６の上面４６Ａとの間に配置されるので、上記実施例と同様に、ＩＣチップ７２の破損を防止することができる。
【００８９】
何れにせよ、本実施形態に係る記録テープカートリッジ１０は、ＲＦＩＤタグ７０（ＩＣチップ７２）が、リール２０に巻回されている記録テープＴの外周面と、その外周面と対向する壁面（リールエリアリブ３２の内周面、外周壁１４Ｂ、１６Ｂの内面）との間に配置されている場合に優れた効果を奏する。なお、外周壁１４Ｂ、１６Ｂの内面が、記録テープＴの外周面と対向する場合とは、例えば、その外周壁１４Ｂ、１６Ｂがリールエリアリブ３２を兼ねている場合である。また、リールエリアリブ３２が上下に分割されている場合には、ＩＣチップ７２又はＲＦＩＤタグ７０全体を、そのリールエリアリブ３２の突き当て部分の上側又は下側の何れかに配置することが好ましい。
【符号の説明】
【００９０】
１０  記録テープカートリッジ
１２  ケース
１４  上ケース
１４Ｂ  外周壁（側壁）
１６  下ケース
１６Ｂ  外周壁（側壁）
１７  突当面
２０  リール
３５  リールハブ（ハブ）
４４  上フランジ
４４Ａ  下面
４６  下フランジ
４６Ａ  上面
７０  ＵＨＦ帯ＲＦＩＤタグ（ＲＦＩＤタグ）
７２  ＩＣチップ（ＩＣチップ部）
７４  タグアンテナ（アンテナ部）
７４Ａ  放射部
７４Ｂ  給電部
７６  ベースシート
７８  給電部室
８０  放射部室
Ｔ  磁気テープ（記録テープ）
【図１】
2011141933.tif 000003
【図２】
2011141933.tif 000004
【図３】
2011141933.tif 000005
【図４】
2011141933.tif 000006
【図５】
2011141933.tif 000007
【図６】
2011141933.tif 000008
【図７】
2011141933.tif 000009
【図８】
2011141933.tif 000010
【図９】
2011141933.tif 000011